(57)【要約】      （修正有）【課題】重心位置及びウェイトを変更及び調整可能なゴルフクラブヘッドの構造を提供する。【解決手段】ゴルフクラブヘッド１に含まれるのはボールを捉える一つのフェース、突起する一つのソール１１、ゴルフクラブシャフトと接続する一つのネック１Ａ、該ネックに近隣する一つのヒール１２、該ネック１Ａから離なれ、ヒール１２と相対する端のトー１３、及び一つのウェイト３である。該ソール１１の中、ヒール１２とトー１３の間に一つのルート１４を開設し、該ルート１４に一つの第一開口１４０を具有して該トー１３或いはヒール１２を貫通して外と繋がり、ウェイト３は該ルート１４の中に収納して固定されることで、ヘッド１の重心の位置及びヘッドの重さを変更及び調整する。【選択図】図２
0003213061.tif 000002
【実用新案登録請求の範囲】
【請求項１】
ヘッドを含み、
該ヘッドに含まれるのはボールを捉える一つのフェース、突起する一つのソール、ゴルフクラブシャフトと接続する一つのネット、該ネックに近隣する一つのヒール、該ネットから離なれ、ヒールと相対する端のトーであり、
その中、該ソールの中、ヒールとトーの間に一つのルートを開設し、該ルートに一つの第一開口を具有して該トー或いはヒールを貫通して外と繋がり、それによりヘッドの重心位置及びヘッドの重さを変えることを特徴とするゴルフクラブヘッドの構造。
【請求項２】
ヘッドを含み、
該ヘッドに含まれるのはボールを捉える一つのフェース、突起する一つのソール、ゴルフクラブシャフトと接続する一つのネット、該ネックに近隣する一つのヒール、該ネットから離なれ、ヒールと相対する端のトーであり、
その中、該ソールの中、ヒールとトーの間に一つのルートを開設し、該ルートに一つの第一開口及び一つの第二開口を具有してそれぞれ該トー及びヒールを貫通して外と繋がり、それによりヘッドの重心位置及びヘッドの重さを変えることを特徴とするゴルフクラブヘッドの構造。
【請求項３】
前記該ルートとフェースとの間の距離は、少なくとも１.５ｍｍ以上を保つことを特徴とする請求項１或いは請求項２記載のゴルフクラブヘッドの構造。
【請求項４】
前記該ルートの中に、更に一つのウェイトを収納することを特徴とする請求項１或いは請求項２記載のゴルフクラブヘッドの構造。
【請求項５】
前記該ウェイトはルートの中に固定される任意の物質とし、特定の形状がないことを特徴とする請求項４記載のゴルフクラブヘッドの構造。
【請求項６】
前記該ウェイトは溶剤によって溶解して取り除くことのできるゲル物質とすることを特徴とする請求項５記載のゴルフクラブヘッドの構造。
【請求項７】
前記該ウェイトの表面にねじ山を具有し、ルートの壁面に該ねじ山と対応して接合するねじ山部を設けることで、該ウェイトがルートの中で、回転を通じて位置を調整及び固定することができることを特徴とする請求項４記載のゴルフクラブヘッドの構造。
【請求項８】
前記該ウェイトの一端に一つの操作部を設け、ウェイトを駆動することを特徴とする請求項７記載のゴルフクラブヘッドの構造。
【考案の詳細な説明】
【技術分野】
【０００１】
本考案はゴルフクラブの構造に関し、特に重心位置及びウェイトを変更及び調整可能なヘッドの構造に関する。
【背景技術】
【０００２】
ゴルフは既に普及した一つの運動であり、スコアを有効的に減らすために、クラブを振る姿勢の調整とスウィングのテクニックを練習するほか、クラブの選択も一つの大切な要素である。
【０００３】
ゴルフクラブは主にシャフトとヘッドの二つの部分から構成する。近年ヘッドの重心位置を低く且つ深くするのが、多くのメーカーが研究開発するポイントである。重心(Ｃｅｎｔｅｒ ｏｆ Ｇｒａｖｉｔｙ、略してＣＧ）の位置は一つのコンセプトである。如何なる物品において、いずれも重心の位置がある。ゴルフクラブヘッドについて言えば、「ＣＧ」はその内部の一つの点と言える。それの位置は必ず三次元で定義すべきである。ヘッドの重心位置は、通常三種類の方法で表示できる：ＣＧの垂直位置(底部からの高さ、つまり重心の高さ)、水平位置(ヘッドまでの距離、つまり重心の距離)、及び前後位置(フェースまでの距離、つまり重心の深さ)を含む。垂直位置(即ち重心の高さ)の影響について言えば、ヘッドの重心の位置が高くなれば、ボールの打ち出し角が小さくなり、バックスピンが多くなる。重心の位置を下げれば、ボールの打ち出し角が大きくなり、バックスピンが少なくなる。水平位置(即ち重心の距離)の影響について言えば、重心位置がネックに近づけば(重心の距離が短い)、スウィングする際にフェースは返りやすいが、同時にスイートスポットの大きさが相対的に小さくなる。逆に重心位置がネックから離れれば離れるほど(重心距離が長い)、スウィングする際にフェースの返りが比較的遅くが、スイートスポットの大きさが相対的に大きくなる。前後位置(即ち重心深度)の影響については、重心の位置を前に移すと、ボールの角度が下がり、バックスピンが少なくなり、重心の位置を後ろに移すと、ボールの角度が高くなり、バックスピンが大きくなる。
【０００４】
理論的に：ヘッドが低く、深い重心位置であれば、ボールに当たる確率が高くなるだけでなく、ミスをした時の影響幅も比較的小さい；つまり一般的にアマチュアプレイヤーは、個人のボールを打つ慣性に基づき、自分に合ったヘッドの重心位置のクラブを探すのは、絶対的にボールを打つ安定性とミスの許容性のためになる。
【０００５】
従来技術において、多くはヘッドの形状を利用し、或いは嵌合する方法で重さを分配してヘッドの重心位置を変える。例えばキャビティバック(ｃａｖｉｔｙ ｂａｃｋ)のデザインは、必要とする低い重心効果を、局部で強化することができる。例えばソール幅を広く、厚みを厚く或いはキャビティバックのサイズで重心位置を下げて、ボールを打つ方向性をより安定させ、スイートスポットに当たらなくても、長い距離のロスやコースから外れることはない。しかし、その欠点は、各クラブの重心位置はそれにより固定して調整、変更することができず、またヘッドの外形も重心の変更に合わせて、或る程度限定される。更に、幅が広いヘッドの底部は、プレイヤーが異なる環境或いはボールの位置にある際に、特殊なスウィングが必要となり、ボールの飛び方を変える際に影響を受けることを鑑みて、更なる改善が必要であった。
【先行技術文献】
【特許文献】
【０００６】
【特許文献１】特開2013-34522号公報
【考案の概要】
【考案が解決しようとする課題】
【０００７】
前記公知構造の欠点を解決するため、本考案はデザインの目的及びそれによって生じる効果は、ヘッドの重心及び重量が変更且つ調整できるものであり、ボールを打つ安定性とミスの許容性を高めることで、異なるレベルのプレイヤーに合わせて必要とするショットの効果に達するゴルフクラブヘッドの構造を提供することを主な課題とする。
【課題を解決するための手段】
【０００８】
上述の目的を解決するために、本考案はゴルフクラブヘッドの構造を提供するものであり、主に下記の技術手段を通じて実現する：本考案のヘッドに含まれるのはボールを捉える一つのフェース、突起する一つのソール、ゴルフクラブシャフトと接続する一つのネット、該ネックに近隣する一つのヒール、該ネットから離なれ、ヒールと相対する端のトー、及び一つのウェイトである。その中、該ソールの中、ヒールとトーの間に一つのルートを開設し、該ルートに一つの第一開口を具有して該トー或いはヒールを貫通して外と繋がり、前記のウェイトは該ルートの中に収納して固定することで、ヘッドの重心の位置及び重さを変える。
【０００９】
また、該ウェイトの外表面にねじ山を具有する。最良実施例として、ウェイトの一端に更に一つの操作部を設け、該操作部を介してウェイトがルートの中で位置を変える。該ウェイトを移動できるようにするため、ルートの壁面に該ねじ山と対応して接合するねじ山部を設ける。組合せ及び操作を行う際、該操作部の駆動を利用することで、ウェイトを第一開口からルートの中に入らせ、回転を介して該ウェイトはルートの中で任意に位置を変える。また、回転を停止すると固定されるため、ヘッドの重心もそれによって変化する。このように、ヘッドの重心の垂直位置を低くする(或いは高くする)ことができるほか(ルートからヘッド底部までの距離に相対する高さによって決まる)、重心の前後位置にも影響する(ルートがフェースまでの距離による、つまり重心深度)。更にウェイトがランダムに移動してヘッドの重心の水平位置(つまり重心の距離)を調整できるのに従い、プレイヤーは様々な位置に重心を変更することができ、及びボールを捉える安定性をあげると同時に、更にヘッドの元のデザインの不適応な関係を補い、及び改善する。
【考案の効果】
【００１０】
本考案のデザイン及び構造により、ウェイトを個人のニーズに合わせて移動して調整することができ、ボールを捉える安定性をあげる。
【図面の簡単な説明】
【００１１】
【図１】本考案のゴルフクラブヘッド第一実施例の正面立体図の構造である。
【図２】本考案のゴルフクラブヘッド第一実施例の背面立体図の構造、及びウェイトとの組合せ関係を示す立体図である。
【図３】本考案のゴルフクラブヘッド第一実施例のルートとウェイトの連結関係を示す背面の局部断面図である。
【図４】本考案のゴルフクラブヘッド第一実施例のルートとフェースの間の距離を示す断面図である。
【図５】本考案のゴルフクラブヘッド第二実施例の構造及びウェイトとの組合せ関係を示す背面立体図である。
【図６】本考案のゴルフクラブヘッド第二実施例のルートとウェイトの連結関係を示す背面局部断面図である。
【考案を実施するための形態】
【００１２】
以下、本考案の構造と特徴および効果を、最良実施例と図面を参照しながら詳細に説明する。
【実施例１】
【００１３】
図１〜図３に示すのは、第一最良実施例であり、本考案のゴルフクラブヘッド(以下略してヘッドとする)１に含まれるのはボールを捉える一つのフェース１０、突起する一つのソール１１、ゴルフクラブシャフト２と接続する一つのネット１Ａ、該ネック１Ａに近隣する一つのヒール１２、該ネット１Ａから離なれ、ヒール１２と相対する端のトー１３、及び一つのウェイト３である。該ソール１１の中、ヒール１２とトー１３の間に一つのルート１４を開設し、該ルート１４に一つの第一開口１４０を具有して該トー１３或いはヒール１２を貫通する。図２に示すように、該第一開口１４０はトー１３を貫通する外と繋がる。
【００１４】
同時に図４を参照し、ルート１４の形状及び幅に制限はなく、主にウェイト３をその中に入れる。ルート１４とフェース１０との間の距離Ｄは少なくとも１.５ｍｍ以上を保つこととし（材質強度の相違に基づき差異がある）、フェース１０がボールを捉える際の強度に影響を及ぼすのを避ける。このルート１４のデザインを介し、ヘッド１の重心を変えるのに充分である。つまり該ルート１４を仮にヘッド１に相対して低い位置に設けると、ヘッド１の重心は高くなる。逆にルート１４を仮にヘッド１に相対して高い位置に設けると、ヘッド１の重心は下がる。つまり、所謂重心「ＣＧ」の垂直位置(ヘッドの底部からの距離、及びヘッドの重さに影響する。
【００１５】
前記ウェイト３は様々な材質とすることができ、特定の形状制限がない。ただ、予定する重さがあれば、前記ルート１４の中に入れることができ、固定できれば良い。図１〜図３に掲示する第一実施例において、該ウェイト３の外表面にネジ山３０を具有する。最良実施例として、ウェイト３の一端に一つの操作部３１を設ける。該操作部３１を介して、ウェイト３がルート１４の中で位置を変更する。該ウェイト３の移動に合わせ、ルート１４の壁面に該ねじ山３０と対応して接合するねじ山部１４Ａを設ける。組合せ及び操作する際に、該操作部３１の駆動を利用することで、ウェイト３は第一開口１４０よりルート１４の中に入る。回転することで該ウェイト３はルート１４の中で任意に位置を変える。また、回転を停止すると固定されるため、ヘッド１の重心もそれにより変わる。よって、ルート１４の中にウェイト３を増やすデザインは、ヘッド１の重心の垂直位置を下げる(或いは上げる)ほか(ルートからヘッド底部までの距離に相対する高さによって決まる)、ウェイト３の移動に合わせてヘッド１の重心の水平位置(即ちネット１Ａからの距離)を「調整」することができ、プレイヤーは様々な位置に重心を変更することができ、及びボールを捉える安定性をあげると同時に、更にヘッドの元のデザインの不適応な関係を補い、及び改善する。
【実施例２】
【００１６】
図５及び図６が掲示するのは本考案の第二実施例である。第一実施例と同じく、ヘッドに含まれるのはボールを捉える一つのフェース１０、突起する一つのソール１１、ゴルフクラブシャフト２と接続する一つのネット１Ａ、該ネック１Ａに近隣する一つのヒール１２、該ネット１Ａから離なれ、ヒール１２と相対する端のトー１３、及び一つのウェイト３であり、該ソール１１の中、ヒール１２とトー１３の間に一つのルート１４を開設する。該ルート１４に一つの第一開口１４０’及び一つの第二開口１４１’を具有し、それぞれ該トー１３及びヒール１２を貫通することで、ルート１４が外と完全に繋がる。このようなデザインは、ヘッド１の重心が水平位置において調整する距離を延長できるだけでなく、ルート１４の中に充填するウェイト３を取り出す手助けもする。例えばウェイト３が一種のゲル状物質である場合、第一開口１４０’より溶剤を注入すれば、該ウェイト３とルート１４の粘着を無くすことができ、直接第二開口１４１’から排除する。
【００１７】
注意すべきは、ゴルフコンペのルールにおいて、参加者が使用するゴルフクラブには、如何なるヘッド１を貫通する穴があってならない。よって、図６に掲示するように、プレイヤーが試合する際には、必ず第二実施例の第一或いは第二開口１４０’、１４１’の如何なる一つの開口を一つの蓋４で蓋合する必要がある。
【００１８】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１９】
１    ヘッド
１Ａ    ネック
１０    フェース
１１    ソール
１２    ヒール
１３    トー
１４    ルート
１４Ａ    ねじ山部
１４０、１４０’   第一開口
１４１’    第二開口
２    シャフト
３    ウェイト
３０    ねじ山
３１    操作部
４    蓋
Ｄ    ルートとフェースとの間の距離
【図１】
0003213061.tif 000003
【図２】
0003213061.tif 000004
【図３】
0003213061.tif 000005
【図４】
0003213061.tif 000006
【図５】
0003213061.tif 000007
【図６】
0003213061.tif 000008
【手続補正書】
【提出日】平成29年8月15日(2017.8.15)
【手続補正１】
【補正対象書類名】実用新案登録請求の範囲
【補正対象項目名】請求項１
【補正方法】変更
【補正の内容】
【請求項１】
ヘッドを含み、
該ヘッドに含まれるのはボールを捉える一つのフェース、突起する一つのソール、ゴルフクラブシャフトと接続する一つのネック、該ネックに近隣する一つのヒール、該ネックから離れ、ヒールと相対する端のトーであり、
その中、該ソールの中、ヒールとトーの間に一つのルートを開設し、該ルートに一つの第一開口を具有して該トー或いはヒールを貫通して外と繋がり、それによりヘッドの重心位置及びヘッドの重さを変えることを特徴とするゴルフクラブヘッドの構造。
【手続補正２】
【補正対象書類名】実用新案登録請求の範囲
【補正対象項目名】請求項２
【補正方法】変更
【補正の内容】
【請求項２】
ヘッドを含み、
該ヘッドに含まれるのはボールを捉える一つのフェース、突起する一つのソール、ゴルフクラブシャフトと接続する一つのネック、該ネックに近隣する一つのヒール、該ネックから離れ、ヒールと相対する端のトーであり、
その中、該ソールの中、ヒールとトーの間に一つのルートを開設し、該ルートに一つの第一開口及び一つの第二開口を具有してそれぞれ該トー及びヒールを貫通して外と繋がり、それによりヘッドの重心位置及びヘッドの重さを変えることを特徴とするゴルフクラブヘッドの構造。